(57)【特許請求の範囲】
【請求項１】
（１）アーム部、
（２）前記アーム部の一方の端部に連結する取付用クリップ部、及び
（３）前記アーム部のもう一方の反対側端部に設けた保持部に着脱自在に固定される遮光部
を含む、日除け具であって、前記取付用クリップ部が、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部又は前記第２挟止部の内側表面から内側方向に突出し、前記連結部に対向する壁面を有し、前記第１挟止部又は前記第２挟止部の内側表面と前記壁面との付け根部に形成される係止部を備える係止用突起部
を含み、
帯状被挟持体の両端縁部を、前記第１挟止部又は前記第２挟止部の内側表面と前記係止用突起部壁面との付け根部に形成される係止部と、前記第２挟止部又は前記第１挟止部と前記連結部との屈曲連結部とで対角線方向に係止するための前記日除け具。
【請求項２】
前記取付用クリップ部が、前記第１挟止部又は前記第２挟止部の内側表面と前記係止用突起部壁面との付け根部に形成される係止部における係止を補助する機能を有する係止補助用突出部を、第１挟止部の内側表面、第２挟止部の内側表面、又は係止用突起部の壁面に有する、請求項１に記載の日除け具。
【請求項３】
前記取付用クリップ部が、前記第１挟止部又は前記第２挟止部と前記連結部との屈曲連結部における係止を補助する機能を有する係止補助用突出部を、第１挟止部の内側表面、第２挟止部の内側表面、又は連結部の閉止端部側表面に有する、請求項１又は２に記載の日除け具。
【請求項４】
前記アーム部が、任意の方向に湾曲変形可能で、変形させた湾曲状態で形状維持が可能である、請求項１〜３のいずれか一項に記載の日除け具。
【請求項５】
帯状被挟持体が、ベビーカーの幌の周縁部の内側に設けられたフレーム部である、請求項１〜４のいずれか一項に記載の日除け具。
【請求項６】
（１）請求項１〜４のいずれか一項に記載の日除け具、及び
（２）（ａ）基台と、（ｂ）その基台上に設けられ、被取付体に着脱自在に固定可能な取付部と、（ｃ）前記基台上に設けられ、前記日除け具の取付用クリップ部を取り付けることのできる帯状受容部とを含む連結具
の組合せからなることを特徴とする、日除け具取付セット。
【請求項７】
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部又は前記第２挟止部の内側表面から内側方向に突出し、前記連結部に対向する壁面を有し、前記第１挟止部又は前記第２挟止部の内側表面と前記壁面との付け根部に形成される係止部を備える係止用突起部
を含み、
帯状被挟持体の両端縁部を、前記第１挟止部又は前記第２挟止部の内側表面と前記係止用突起部壁面との付け根部に形成される係止部と、前記第２挟止部又は前記第１挟止部と前記連結部との屈曲連結部とで対角線方向に係止するための帯状被挟持体用のクリップ具。
【請求項８】
前記第１挟止部又は前記第２挟止部の内側表面と前記係止用突起部壁面との付け根部に形成される係止部における係止を補助する機能を有する係止補助用突出部を、第１挟止部の内側表面、第２挟止部の内側表面、又は係止用突起部の壁面に有する、請求項７に記載のクリップ具。
【請求項９】
前記第１挟止部又は前記第２挟止部と前記連結部との屈曲連結部における係止を補助する機能を有する係止補助用突出部を、第１挟止部の内側表面、第２挟止部の内側表面、又は連結部の閉止端部側表面に有する、請求項７又は８に記載のクリップ具。
【請求項１０】
請求項７〜９のいずれか一項に記載のクリップ具において、相互に最大距離で離間している前記第１押圧部及び前記第２押圧部を、それらの相互間距離を縮める方向に押圧して前記閉止端部を開き、前記連結部と前記第２挟止部との屈曲連結部と、前記係止用突起部との間の挟持空間内に、帯状被挟持体を装入し、その帯状被挟持体の一方の端縁部を前記屈曲連結部に押し当てた後、前記第１押圧部及び前記第２押圧部に与える押圧力をゆるめて前記帯状被挟持体のもう一方の反対側端縁部を、前記第１挟止部と前記係止用突起部との付け根部に形成される係止部に係止させることを特徴とする、帯状被挟持体を挟持する方法。
【請求項１１】
（１）アーム部、
（２）前記アーム部の一方の端部に連結する取付用クリップ部、及び
（３）前記アーム部のもう一方の反対側端部に設けた保持部
を含む、保持具であって、
前記取付用クリップ部が、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部又は前記第２挟止部の内側表面から内側方向に突出し、前記連結部に対向する壁面を有し、前記第１挟止部又は前記第２挟止部の内側表面と前記壁面との付け根部に形成される係止部を備える係止用突起部
を含み、
帯状被挟持体の両端縁部を、前記第１挟止部又は前記第２挟止部の内側表面と前記係止用突起部壁面との付け根部に形成される係止部と、前記第２挟止部又は前記第１挟止部と前記連結部との屈曲連結部とで対角線方向に係止するための前記保持具。
【請求項１２】
前記取付用クリップ部が、前記第１挟止部又は前記第２挟止部の内側表面と前記係止用突起部壁面との付け根部に形成される係止部における係止を補助する機能を有する係止補助用突出部を、第１挟止部の内側表面、第２挟止部の内側表面、又は係止用突起部の壁面に有する、請求項１１に記載の保持具。
【請求項１３】
前記取付用クリップ部が、前記第１挟止部又は前記第２挟止部と前記連結部との屈曲連結部における係止を補助する機能を有する係止補助用突出部を、第１挟止部の内側表面、第２挟止部の内側表面、又は連結部の閉止端部側表面に有する、請求項１１又は１２に記載の保持具。
【発明の詳細な説明】
【技術分野】
【０００１】
本発明は、日除け具、日除け具取付セット、クリップ具、帯状被挟持体の挟持方法、及び保持具に関する。
【背景技術】
【０００２】
ベビーカーに乗せた乳幼児を直射日光から保護するための用具としては、日除け用の幌（天蓋部）をベビーカーの上部に取り付けることが最も一般的に行われており、日除け用の幌は、市販のベビーカーの多くに、標準的に装備されている。しかしながら、幌だけでは不充分なこともあるため、更に追加的な日除け具が種々提案されている。
例えば、布帛製の日除けを幌（天蓋部）にクリップにより３箇所で固定し、更に手摺部（アームフレーム）に平面ファスナーにより２箇所で固定し、ベビーカーの前面側全体を覆う形式のベビーカー用日除けが提案されている（特許文献１）。しかしながら、この日除けは、着脱操作が煩雑であり、しかも布帛製の日除け部本体が遮光性材料からなるため、ベビーカーに乗っている乳幼児の視界が妨げられ、乳幼児に圧迫感と不安感を与える。視界悪化を改善させる材料を用いると、遮光性が低下する。また、日除け部本体が布帛製であるので、少し強めの風がふいただけで日除け部本体が乳幼児に当たり、不快感を与える。更に、乳幼児の乗り降りの際にも、布帛製日除け部本体が邪魔になり面倒である。
【０００３】
また、角型の幌を有するベビーカーに取り付ける日除けとして、遮光性と可撓性とを有する布帛を飛行機の主翼型に裁断し、主翼型布帛中央部を角型幌の上部に載置すると共に、主翼型布帛両端部を手摺部（アームフレーム）に固定し、ベビーカーの前面及び両側面の上部から布帛製の日除け部を懸架させる構造の日除けも提案されている（特許文献２）。しかしながら、この日除けも、着脱操作が煩雑であり、少しでも強い風に当たると、ベビーカー前面に垂れ下がる布帛製日除け部本体が乳幼児の顔に触れて不快感を与える。また、前面に布帛製日除け部本体が垂れ下がるので、乳幼児に圧迫感を与え、視界の悪化を招く。
【０００４】
一方、風に当たっても変形しないパネル式日除けを有するものとして、例えば、円盤状パネルの日除け本体をベビーカーの背凭れ部上端に装着させ、日除け本体を水平揺動可能及び旋回揺動可能に支持したベビーカー用自在回転式日除けも提案されている（特許文献３）。しかしながら、この日除けは、幌（天蓋部）を備えていないベビーカーの背凭れ部上端に装着させて、幌（天蓋部）の日除け機能を代行することを意図しており、幌付きのベビーカーに追加的に装着させる日除け具を提案するものではない。仮に、この自在回転式日除けを幌付きベビーカーに適用させる場合には、背凭れ部上端の支持部から、幌の先端を超えて延びる長いアーム部を設ける必要があり、追加的な装備としては大がかりになり過ぎる。また、この日除けは、幌に取り付けることができない。
【０００５】
【特許文献１】特開２００３−１０４２０９号公報
【特許文献２】特開２００３−８１０９７号公報
【特許文献３】特開平９−２２８３号公報
【発明の開示】
【発明が解決しようとする課題】
【０００６】
本発明者は、幌（天蓋部）を装備してあるベビーカーに追加的に着脱自在に取り付けるタイプであり、しかも着脱操作が容易な日除け具の開発を鋭意検討していたところ、幌先端の端縁部には、幌の形状を維持する目的で、形状安定性に優れた材料からなる帯状フレーム部が存在することに注目し、更にその帯状フレーム部に強固に取り付けることが可能な取付用クリップを新たに開発し、その取付用クリップを利用することによって、前記の課題を解決することができることを見出した。
本発明はこうした知見に基づくものである。
【課題を解決するための手段】
【０００７】
従って、本発明は、
（１）アーム部、
（２）前記アーム部の一方の端部に連結する取付用クリップ部、及び
（３）前記アーム部のもう一方の反対側端部に設けた保持部に着脱自在に固定される遮光部
を含む、日除け具であって、前記取付用クリップ部が、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部又は前記第２挟止部の内側表面から内側方向に突出し、前記連結部に対向する壁面を有し、前記第１挟止部又は前記第２挟止部の内側表面と前記壁面との付け根部に形成される係止部を備える係止用突起部
を含み、
帯状被挟持体の両端縁部を、前記第１挟止部又は前記第２挟止部の内側表面と前記係止用突起部壁面との付け根部に形成される係止部と、前記第２挟止部又は前記第１挟止部と前記連結部との屈曲連結部とで対角線方向に係止するための前記日除け具に関する。
【０００８】
本発明による日除け具の好ましい態様においては、前記取付用クリップ部が、前記第１挟止部又は前記第２挟止部の内側表面と前記係止用突起部壁面との付け根部に形成される係止部における係止を補助する機能を有する係止補助用突出部を、第１挟止部の内側表面、第２挟止部の内側表面、又は係止用突起部の壁面に有する。
本発明による日除け具の好ましい態様においては、前記取付用クリップ部が、前記第１挟止部又は前記第２挟止部と前記連結部との屈曲連結部における係止を補助する機能を有する係止補助用突出部を、第１挟止部の内側表面、第２挟止部の内側表面、又は連結部の閉止端部側表面に有する。
本発明による日除け具の好ましい態様においては、前記アーム部が、任意の方向に湾曲変形可能で、変形させた湾曲状態で形状維持が可能である。
本発明による日除け具の別の好ましい態様においては、帯状被挟持体（好ましくは、ベビーカーの幌の周縁部の内側に設けられたフレーム部）に、その両側端縁部を係止挟持した状態で取り付けるためのものである。
【０００９】
また、本発明は、
（１）前記日除け具、及び
（２）（ａ）基台と、（ｂ）その基台上に設けられ、被取付体に着脱自在に固定可能な取付部と、（ｃ）前記基台上に設けられ、前記日除け具の取付用クリップ部を取り付けることのできる帯状受容部とを含む連結具
の組合せからなることを特徴とする、日除け具取付セットにも関する。
【００１０】
また、本発明は、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部又は前記第２挟止部の内側表面から内側方向に突出し、前記連結部に対向する壁面を有し、前記第１挟止部又は前記第２挟止部の内側表面と前記壁面との付け根部に形成される係止部を備える係止用突起部
を含み、
帯状被挟持体の両端縁部を、前記第１挟止部又は前記第２挟止部の内側表面と前記係止用突起部壁面との付け根部に形成される係止部と、前記第２挟止部又は前記第１挟止部と前記連結部との屈曲連結部とで対角線方向に係止するための帯状被挟持体用のクリップ具にも関する。
本発明による前記クリップ具の好ましい態様においては、前記第１挟止部又は前記第２挟止部の内側表面と前記係止用突起部壁面との付け根部に形成される係止部における係止を補助する機能を有する係止補助用突出部を、第１挟止部の内側表面、第２挟止部の内側表面、又は係止用突起部の壁面に有する。
本発明による前記クリップ具の好ましい態様においては、前記第１挟止部又は前記第２挟止部と前記連結部との屈曲連結部における係止を補助する機能を有する係止補助用突出部を、第１挟止部の内側表面、第２挟止部の内側表面、又は連結部の閉止端部側表面に有する。
【００１１】
また、本発明は、前記クリップ具において、相互に最大距離で離間している前記第１押圧部及び前記第２押圧部を、それらの相互間距離を縮める方向に押圧して前記閉止端部を開き、前記連結部と前記第２挟止部との屈曲連結部と、前記係止用突起部との間の挟持空間内に、帯状被挟持体を装入し、その帯状被挟持体の一方の端縁部を前記屈曲連結部に押し当てた後、前記第１押圧部及び前記第２押圧部に与える押圧力をゆるめて前記帯状被挟持体のもう一方の反対側端縁部を、前記第１挟止部と前記係止用突起部との付け根部に形成される係止部に係止させることを特徴とする、帯状被挟持体を挟持する方法にも関する。
【００１２】
更に、本発明は、
（１）アーム部、
（２）前記アーム部の一方の端部に連結する取付用クリップ部、及び
（３）前記アーム部のもう一方の反対側端部に設けた保持部
を含む、保持具であって、
前記取付用クリップ部が、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部又は前記第２挟止部の内側表面から内側方向に突出し、前記連結部に対向する壁面を有し、前記第１挟止部又は前記第２挟止部の内側表面と前記壁面との付け根部に形成される係止部を備える係止用突起部
を含み、
帯状被挟持体の両端縁部を、前記第１挟止部又は前記第２挟止部の内側表面と前記係止用突起部壁面との付け根部に形成される係止部と、前記第２挟止部又は前記第１挟止部と前記連結部との屈曲連結部とで対角線方向に係止するための前記保持具にも関する。
本発明による保持具の好ましい態様においては、前記取付用クリップ部が、前記第１挟止部又は前記第２挟止部の内側表面と前記係止用突起部壁面との付け根部に形成される係止部における係止を補助する機能を有する係止補助用突出部を、第１挟止部の内側表面、第２挟止部の内側表面、又は係止用突起部の壁面に有する。
本発明による保持具の好ましい態様においては、前記取付用クリップ部が、前記第１挟止部又は前記第２挟止部と前記連結部との屈曲連結部における係止を補助する機能を有する係止補助用突出部を、第１挟止部の内側表面、第２挟止部の内側表面、又は連結部の閉止端部側表面に有する。
【発明の効果】
【００１３】
本発明の日除け具は、例えば、ベビーカーの幌（天蓋部）の先端に極めて強固に取り付けることができるので、ベビーカーの走行中に乳幼児の上に誤って落下する危険性は殆どない。着脱自在に取り付けることができ、その着脱操作も極めて容易である。強い付勢力を有するバネを使用せずに強固な固定が可能になるので、着脱操作の際に、強いバネに対向するための強い力を必要としない。
【００１４】
また、日除け具に装着させる遮光部を、形状維持性のパネル式とすることができるので、乳幼児の視界を妨げることがない。パネル式遮光部の懸架角度や懸架位置を変更したい場合には、それらの変更が容易であり、その角度変更などの操作によって日除け具自体が落下する心配もない。
更に、本発明の日除け具は、帯状の被挟持物に取り付けることができるので、例えば、自動車室内のグリップ部（例えば、ドア開閉用アシストグリップや室内上部壁面のドアの上方に設けた乗客用グリップ）にも着脱自在に取り付けることができる。
【発明を実施するための最良の形態】
【００１５】
最初に、本発明による日除け具に用いる取付用クリップ部について、従来の同種の構造のクリップとの差異を添付図面に沿って説明する。
図２５は、従来のクリップ５０の非挟持状態の模式的側面図であり、図２６は、前記クリップ５０を平板状被挟持体５０Ａの端部に取り付けた状態を示す模式的側面図である。この種のクリップ５０は、平板状被挟持体５０Ａの端部（例えば、机や棚板の端部）の表面及び裏面を両側から単に挟持して取り付けることができるため、平板状被挟持体５０Ａの端部への取り付け操作及び取り外し操作が極めて簡単で、構造も簡易であるため、非常に広範な領域で利用されている。
【００１６】
図２５及び図２６に示す従来型のクリップ５０は、第１挟板５１、第２挟板５２、連結部５３、及び付勢手段５４を含む。前記第１挟板５１は、第１挟止部５１ａと第１押圧部５１ｂとからなり、前記第２挟板５２は、第２挟止部５２ａと第２押圧部５２ｂとからなる。前記連結部５３は、第１連結部５３ａと第２連結部５３ｂとの２部分からなり、それらの第１連結部５３ａと第２連結部５３ｂとは、回転軸部５３ｃで相互に回転可能に連結している。また、第１連結部５３ａは、前記第１挟板５１と連結しており、第２連結部５３ｂは、前記第２挟板５２と連結している。一般的には、第１連結部５３ａと第１挟板５１とが一体成形され、第２連結部５３ｂと第２挟板５２とも一体成形され、両者を回転軸部５３ｃで相互に回転可能に連結している。
【００１７】
前記付勢手段５４は、例えばトーションバネであり、図２５に示すように、非挟持状態において、前記第１挟板５１の先端部５１Ａと前記第２挟板５２の先端部５２Ａとが相互に接触する閉止端部とし、前記第１挟板５１の反対側先端部５１Ｂと前記第２挟板５２の反対側先端部５２Ｂとを相互に最大距離で離間する離間端部となる方向に付勢している。
【００１８】
この従来型クリップ５０は、机の端部などの平板状被挟持物５０Ａに挟持状態で取り付ける場合に用いることができる。この挟持方式は、平板状被挟持物５０Ａの表面及び裏面を両側から挟んで固定するものである。具体的には、図２５に示すように、離間端部において、第１挟板５１の第１押圧部５１ｂ側の先端部５１Ｂと前記第２挟板５２の第２押圧部５２ｂ側の先端部５２Ｂとを矢印Ｂの方向に指で押圧すると、第１挟板５１と第２挟板５２とが回転軸部５３ｃを支点として回転し、閉止端部において、第１挟板５１の第１挟止部５１ａ側の先端部５１Ａと前記第２挟板５２の第２挟止部５２ａ側の先端部５２Ａとが矢印Ａの方向に開くので、図２６に示すように、その間に平板状被挟持物５０Ａの端縁部を装入させ、指の押圧力を解除すると、図２６に示すように、従来型クリップ５０を平板状被挟持物５０Ａに取り付けることができる。
【００１９】
この状態では、図２６に示すように、閉止端部において、第１挟板５１の先端部５１Ａ及び前記第２挟板５２の先端部５２Ａが、前記付勢手段５４によって矢印Ｃの方向に付勢されるので、従来型クリップ５０は、平板状被挟持物５０Ａの端縁部において表面側及び裏面側の両方から平板状被挟持物５０Ａを押圧し、平板状被挟持物５０Ａの端縁部に固定される。また、前記の挟持状態を補強する目的で、閉止端部において、第１挟板５１の先端部５１Ａと前記第２挟板５２の先端部５２Ａとに、それぞれ挟持用補助突起部５５ａ，５５ｂが一般的に設けられている。
【００２０】
図２７は、同種の挟持原理に基づく従来のターンクリップ７０の非挟持状態の模式的側面図であり、図２８は、前記ターンクリップ７０によって書類７０Ａを挟持した状態を示す模式的側面図である。従来のターンクリップ７０は、断面が大略三角形の挟持用部片７６、第１押圧部７１ｂ、及び第２押圧部７２ｂを含む。前記挟持用部片７６は、一体化した第１挟止部７１ａと連結用部７３と第２挟止部７２ａとからなり、前記連結用部７３は、付勢手段７４であると共に、その中央部に回転部７３ｃを含む。第１押圧部７１ｂ及び第２押圧部７２ｂは、それぞれ第１挟止部７１ａ及び第２挟止部７２ａの端部に回転可能に設けられている。
【００２１】
この従来型ターンクリップ７０は、書類などの平板状被挟持物７０Ａの端部を挟持する場合に用いることができる。具体的には、図２７に示すように、離間端部において、第１押圧部７１ｂの先端部７１Ｂと第２押圧部７２ｂの先端部７２Ｂとを矢印Ｂの方向に指で押圧すると、第１挟止部７１ａと第２挟止部７２ａとが回転部７３ｃを支点として回転し、閉止端部において、第１挟止部７１ａの先端部７１Ａと第２挟止部７２ａの先端部７２Ａとが矢印Ａの方向に開くので、図２８に示すように、その間に書類などの平板状被挟持物７０Ａの端縁部を装入し、指の押圧力を解除すると、図２８に示すように、従来型ターンクリップ７０によって書類７０Ａをその端縁部で挟持することができる。この状態では、図２８に示すように、第１挟止部７１ａの先端部７１Ａ及び第２挟止部７２ａの先端部７２Ａが、前記付勢手段７４によって矢印Ｃの方向に付勢されるので、従来型ターンクリップ７０によって書類などの平板状被挟持物７０Ａの端部が強固に挟持される。
【００２２】
前記のような従来型クリップは、前記閉止端部（すなわち先端部）において平面状被挟持体の表面側及び裏面側の両側から押圧力を加えることによって平面状被挟持体をその端部で挟持固定する方式であり、いわば「先端止めクリップ」と称すべき方式である。これに対して、本発明で用いるクリップ部は、一見した構造は、従来型の前記「先端止めクリップ」と類似しているが、被挟持体の形状が異なると共に、その挟持原理が基本的に異なっている。先ず、被挟持体は、幅が比較的に狭い帯状体（特に、扁平な幅狭帯状体）である。また、その帯状体の表面側及び裏面側から押圧力を加えることによって挟持固定する方式ではなく、帯状体の両側端縁部（幅方向の両側端縁部）を係止して挟持固定する方式である。更に、帯状体の両側端縁部をクリップの前記閉止端部（すなわち先端部）において挟持するのではなく、閉止端部よりも内側で係止して挟持固定する方式であり、いわば「根元止め（ネモトドメ）クリップ」と称すべき方式である。
【００２３】
次に、本発明の日除け具において取付用クリップ部として用いることのできる「根元止めクリップ」の構造を添付図面に沿って説明する。
図１は、根元止めクリップ１０の模式的側面図であり、図２は、その模式的斜視図である。根元止めクリップ１０は、第１挟板１１、第２挟板１２、連結部１３、及び付勢手段１４を含む。前記第１挟板１１は、第１挟止部１１ａと第１押圧部１１ｂとからなり、前記第２挟板１２は、第２挟止部１２ａと第２押圧部１２ｂとからなる。
【００２４】
前記連結部１３は、第１挟板１１側の第１連結部１３ａと、第２挟板１２側の第２連結部１３ｂとの２部分からなり、それらの第１連結部１３ａと第２連結部１３ｂとは、回転軸部１３ｃで相互に回転可能に連結している。また、第１連結部１３ａは、前記第１挟板１１と一体的に運動するように連結しており、第２連結部１３ｂは、前記第２挟板１２と一体的に運動するように連結している。第１連結部１３ａと第１挟板１１とは一体成形されていることもできる。第２連結部１３ｂと第２挟板１２も、同様に、一体成形されていることができる。
【００２５】
前記第１挟板１１及び前記第２挟板１２は、一般的には板状であるが、場合により、軽量化や意匠性の向上のために、機能性に影響を与えない範囲で、貫通開口部を設けたり、表面に突起や溝や模様を設けたりすることができる。また、前記連結部１３は、図２に示すように、２つの同軸回転軸部１３ｃで相互に回転可能に連結している２つの相互に幅方向に平行に配置された第１連結部１３ａと２つの第２連結部１３ｂとからなるだけでなく、１又は３以上の同軸回転軸部１３ｃで相互に回転可能に連結している第１連結部１３ａと１又は３以上の第２連結部１３ｂとからなることもできる。
【００２６】
前記付勢手段１４は、例えばトーションバネであり、図１に示すように、非挟持状態（すなわち、帯状被挟持体を挟持固定していない状態）において、一方の端部を閉止端部とし、反対側の端部を離間端部となる方向に付勢している。具体的には、前記第１挟板１１の第１挟止部１１ａ側の先端部１１Ａと前記第２挟板１２の第２挟止部１２ａ側の先端部１２Ａとが相互に接触する閉止端部とし、前記第１挟板１１の第１押圧部１１ｂ側の先端部１１Ｂと前記第２挟板１２の第２押圧部１２ｂ側の先端部１２Ｂとを相互に最大距離で離間する離間端部となる方向に付勢している。
【００２７】
第１連結部１３ａの閉止端部側の表面１３ｆと、第１挟止部１１ａの内側表面１１ｓとの連結部は、第１屈曲連結部１６ａを形成し、同様に、第２連結部１３ｂの閉止端部側の表面１３ｇと、第２挟止部１２ａの内側表面１２ｓとの連結部は、第２屈曲連結部１６ｂを形成する。
【００２８】
第１挟止部１１ａの内側表面１１ｓには、係止用突起部１５が配置されている。この係止用突起部１５は、第１挟止部１１ａの内側表面１１ｓから内側方向に突出する壁面１７ａを有し、前記内側表面１１ｓと壁面１７ａによって係止部１７が形成される。前記「根元止めクリップ」において、帯状被挟持体を挟持固定する部位、すなわち挟持空間１８は、第１挟止部１１ａの内側表面１１ｓと、第１連結部１３ａの第１挟止部１１ａ側の表面１３ｆと、第２連結部１３ｂの第２挟止部１２ａ側の表面１３ｇと、第２挟止部１２ａの内側表面１２ｓと、係止用突起部１５の壁面１７ａとによって形成される空間である。
【００２９】
図１に示す根元止めクリップ１０を用いて、帯状被挟持体２０を挟持する方法を図３〜図６に沿って説明する。
最初に、図３に示すように、最大距離で離間している離間端部において、前記第１挟板１１の第１押圧部１１ｂ側の先端部１１Ｂと、前記第２挟板１２の第２押圧部１２ｂ側の先端部１２Ｂとを、それらの相互間距離を縮める方向（矢印Ｂの方向）に押圧すると、第１挟板１１と第２挟板１２とが回転軸部１３ｃを支点として回転し、閉止端部において、第１挟板１１の第１挟止部１１ａ側の先端部１１Ａと、前記第２挟板１２の第２挟止部１２ａ側の先端部１２Ａとが矢印Ａの方向に開く。
【００３０】
次に、根元止めクリップ１０の閉止端部を開いた状態のまま、図３の矢印Ｄに示すように、この根元止めクリップ１０を、その取り付け対象である扁平幅狭帯状体２０に近づけて、扁平幅狭帯状体２０の両側面（幅方向）が挟持空間１８内に完全に包まれるように、扁平幅狭帯状体２０を挟持空間１８内に装入し、扁平幅狭帯状体２０の一方の端縁部２０Ａを、第２屈曲連結部１６ｂに押し当てると、図４に示す状態になる。
【００３１】
続いて、図５に示すように、離間端部において、第１挟板１１の第１押圧部１１ｂ側の先端部１１Ｂと、第２挟板１２の第２押圧部１２ｂ側の先端部１２Ｂとに与えていた押圧力をゆるめると、第１挟板１１と第２挟板１２とが回転軸部１３ｃを支点として、矢印Ｅに示す方向に逆回転し、挟持空間１８が狭くなる。この間に、扁平幅狭帯状体２０のもう一方の反対側端縁部２０Ｂを、第１挟止部１１ａの内側表面１１ｓと係止用突起部１５の壁面１７ａの付け根部とによって形成される係止部１７に係止させる。扁平幅狭帯状体２０の両側の端縁部２０Ａ，２０Ｂが、それぞれ第２屈曲連結部１６ｂと係止部１７とで係止された状態で、第１挟板１１の先端部１１Ｂと第２挟板１２の先端部１２Ｂとに与えていた押圧力を完全に解除すると、図６に示すように扁平幅狭帯状体２０が、根元止めクリップ１０によって強固に固定される。
【００３２】
以上のように、前記根元止めクリップ１０においては、扁平幅狭帯状体２０を第２屈曲連結部１６ｂと係止部１７とで、挟持空間１８内を対角線方向で係止して固定することができる。図１〜図６に示す態様とは異なり、係止用突起部を第２挟板１２の内側表面１２ｓに設置し、その対角線方向に位置する第１屈曲連結部１６ａとの間で扁平幅狭帯状体の両幅端縁部を係止して固定することもできる。また、係止用突起部を第１挟板１１の内側表面１１ｓと第２挟板１２の内側表面１２ｓとの両方に設けて、いずれか一方の対角線方向の屈曲連結部と係止部とで、係止固定することもできる。この場合、第１挟板１１の内側表面１１ｓに設ける係止用突起部と第２屈曲連結部との距離、及び第２挟板１２の内側表面１２ｓに設ける係止用突起部と第１屈曲連結部との距離とを同一距離にすることもできるが、それらの距離を相互に相違させることによって２種類の対角線方向距離を提供し、帯状被挟持体の幅方向の距離に応じていずれかの対角線方向を選択することもできる。
【００３３】
なお、係止用突起部を第１挟板１１の内側表面１１ｓ又は第２挟板１２の内側表面１２ｓのいずれか一方にのみ設ける場合には、その対角線方向に位置する屈曲連結部のみが係止部となるので、もう一方の屈曲連結部の形状は限定されない。
【００３４】
前記根元止めクリップ１０において、第１挟止部１１ａの内側表面１１ｓに設ける係止用突起部１５は、帯状被挟持体２０を係止することができる限り、特に限定されないが、例えば、係止用突起部１５の壁面１７ａと第１挟止部１１ａの内側表面１１ｓとによって形成される係止部１７の角度は、９０°以下であることが好ましく、９０°未満の鋭角とするのがより好ましい。同様に、その対角線方向に位置する第２屈曲連結部１６ｂの角度も、９０°以下であることが好ましく、９０°未満の鋭角とするのがより好ましい。
【００３５】
更に、前記係止用突起部を第２挟止部１２ａの内側表面１２ｓに設ける場合にも、その係止用突起部の壁面と第２挟止部１２ａの内側表面１２ｓとによって形成される係止部の角度は、９０°以下であることが好ましく、９０°未満の鋭角とするのがより好ましい。同様に、その対角線方向に位置する第１屈曲連結部の角度も、９０°以下であることが好ましく、９０°未満の鋭角とするのがより好ましい。
【００３６】
前記根元止めクリップ１０において、前記係止用突起部１５の形状は、その壁面１７ａと第１挟止部１１ａの内側表面１１ｓとによって形成される係止部１７が、目的とする係止挟持機能を充分に発揮可能な形状である限り特に限定されるものではなく、それ以外の部分は、任意の形状であることができる。例えば、図１〜図６に示す態様のように、三角柱型の係止用突起部１５の１側面が第１挟板１１の内側表面に設けられ、非挟持状態の閉止端部において、もう一方の側面が第２挟板１２の内側表面と完全に接触して、先端部領域におけるスペーサーとして機能する形状であることもできる。
【００３７】
係止用突起部の代表的な形態を、図７〜図１２に示す。なお、以下の図７〜図１２においては、第１挟板１１の内側表面１１ｓの状態と、第２挟板１２の内側表面１２ｓの状態とを同時に説明する便宜のために、それぞれの図（ａ）は第１挟板１１の内側表面１１ｓを内側から見た部分斜視図とし、それぞれの図（ｂ）は第２挟板１２の内側表面１２ｓを内側から見た部分斜視図として並置してある。
【００３８】
図７は、第１挟板１１の先端部１１Ａから内側表面１１ｓ上に１つの三角柱型係止用突起部１５Ａを設け〔図７（ａ）〕、反対側の第２挟板１２の内側表面１２ｓには設けない〔図７（ｂ）〕態様を示す。この場合、三角柱型係止用突起部１５Ａの表面２５Ａは、非挟持状態において、第２挟板１２の内側表面１２ｓと接触することが好ましい。
【００３９】
図８は、図７（ａ）に示す三角柱型係止用突起部１５Ａを幅方向に三分割し、中央部に相当する三角柱型突起部１５Ｂを第２挟板１２の内側表面１２ｓに移動して設置〔図８（ｂ）〕し、残りの両端部に相当する三角柱型突起部１５Ｃ，１５Ｄをそのまま第１挟板１１の内側表面１１ｓに残して設置〔図８（ａ）〕した態様に相当する。この場合は、第１挟板１１の内側表面１１ｓと、第２挟板１２の内側表面１２ｓの両方に係止部が形成される。また、非挟持状態において、第２挟板１２の内側表面１２ｓに設けた中央三角柱型突起部１５Ｂの表面２５Ｂは、第１挟板１１の内側表面１１ｓと接触し、第１挟板１１の内側表面１１ｓに設けた両端三角柱型突起部１５Ｃ，１５Ｄのそれぞれの表面２５Ｃ，２５Ｄは、それぞれ第２挟板１２の内側表面１２ｓと接触するのが好ましい。
【００４０】
図９は、図７（ａ）に示す三角柱型係止用突起部１５の先端部１１Ａ側の先端部を除いた形状に相当する四角柱型係止用突起部１５Ｅを第１挟板１１の内側表面１１ｓに設け〔図９（ａ）〕、反対側の第２挟板１２の内側表面１２ｓには設けない〔図９（ｂ）〕態様を示す。この場合も、四角柱型係止用突起部１５Ｅの表面２５Ｅは、非挟持状態において、第２挟板１２の内側表面１２ｓと接触することが好ましい。
【００４１】
図１０は、図８（ａ）に示す両側の三角柱型係止用突起部１５Ｃ，１５Ｄの先端部１１Ａ側の各先端部を除いた形状に相当する四角柱型係止用突起部１５Ｆ，１５Ｇを第１挟板１１の内側表面１１ｓに設け〔図１０（ａ）〕、反対側の第２挟板１２の内側表面１２ｓには、図８（ｂ）に示す中央三角柱型突起部１５Ｂをそのまま残した〔図１０（ｂ）〕態様に相当する。この場合も、第１挟板１１の内側表面１１ｓと、第２挟板１２の内側表面１２ｓの両方に係止部が形成される。また、非挟持状態において、第２挟板１２の内側表面１２ｓに設けた中央三角柱型突起部１５Ｂの表面２５Ｂは、第１挟板１１の内側表面１１ｓと接触し、第１挟板１１の内側表面１１ｓに設けた両端三角柱型突起部１５Ｆ，１５Ｇのそれぞれの表面２５Ｆ，２５Ｇは、それぞれ第２挟板１２の内側表面１２ｓと接触するのが好ましい。
【００４２】
図１１は、図７（ａ）に示す三角柱型係止用突起部１５を高さ方向に２分割し、高さが半分となった一方の三角柱型係止用突起部１５Ｈをそのまま第１挟板１１の内側表面１１ｓに残して設置〔図１１（ａ）〕し、高さが半分のもう一方の三角柱型係止用突起部１５Ｊを第２挟板１２の内側表面１２ｓに移動して設置〔図１１（ｂ）〕した態様に相当する。この場合も、第１挟板１１の内側表面１１ｓと、第２挟板１２の内側表面１２ｓの両方に係止部が形成される。また、非挟持状態において、三角柱型係止用突起部１５Ｈの表面２５Ｈと、三角柱型係止用突起部１５Ｊの表面２５Ｊとが接触するのが好ましい。
【００４３】
図１２は、図８（ｂ）に示す中央三角柱型突起部１５Ｂを第２挟板１２の内側表面１２ｓにそのまま残して、先端部１２Ａからの距離（Ｌ１）をそのままにしておくのに対し〔図１２（ｂ）〕、一方、図８（ａ）に示す両側の三角柱型係止用突起部１５Ｃ，１５Ｄから先端部１１Ａとは反対側端部を切除して、先端部１１Ａからの距離（Ｌ２）を短くした三角柱型係止用突起部１５Ｋ，１５Ｌを設けた〔図１２（ａ）〕態様に相当する。この場合も、第１挟板１１の内側表面１１ｓと、第２挟板１２の内側表面１２ｓの両方に係止部が形成されるが、第１挟板１１の内側表面１１ｓに設ける係止用突起部１５Ｋ，１５Ｌと第２屈曲連結部との対角線方向距離、及び第２挟板１２の内側表面１２ｓに設ける係止用突起部１５Ｂと第１屈曲連結部との対角線方向距離とを異なるものにすることができる。なお、非挟持状態において、第２挟板１２の内側表面１２ｓに設けた中央三角柱型突起部１５Ｂの表面２５Ｂは、第１挟板１１の内側表面１１ｓと接触し、第１挟板１１の内側表面１１ｓに設けた両端三角柱型突起部１５Ｋ，１５Ｌのそれぞれの表面２５Ｋ，２５Ｌは、それぞれ第２挟板１２の内側表面１２ｓと接触するのが好ましい。
【００４４】
前記根元止めクリップ１０においては、図１３に示すように、係止部１７の周囲、及び／又は第２屈曲連結部１６ｂの周囲、すなわち、第１挟止部１１ａの内側表面１１ｓ、第２挟止部１２ａの内側表面１２ｓ、係止用突起部１５の壁面１７ａ、又は第２連結部１３ｂの表面１３ｇの少なくとも１箇所あるいは２箇所以上に、係止補助用突出部２１ａ，２１ｂ，２１ｃ，２１ｄを設けることができる。係止補助用突出部は、第１挟止部１１ａの内側表面１１ｓ、第２挟止部１２ａの内側表面１２ｓ、係止用突起部１５の壁面１７ａ、又は第２連結部１３ｂの表面１３ｇのすべての表面に設けることもできるが、前記第１挟止部１１ａの内側表面１１ｓ、第２挟止部１２ａの内側表面１２ｓ、係止用突起部１５の壁面１７ａ、及び第２連結部１３ｂの表面１３ｇの内の３つの表面、２つの表面、又は１つの表面のみに設けることによっても係止補助の機能を発揮することが可能である。
【００４５】
前記係止用突起部を第２挟止部１２ａの内側表面１２ｓに設ける場合（例えば、図８、図１０〜図１２参照）には、その係止用突起部及び内側表面１２ｓによって形成される係止部の周囲、及び／又は第１屈曲連結部１６ａの周囲にも１又は複数の係止補助用突出部を設けることができる。
【００４６】
第１挟止部１１ａの内側表面１１ｓに係止補助用突出部２１ａを設ける場合は、第１挟止部１１ａの幅方向に対して、全長にわたり係止補助用突出部２１ａを設けてもよいし、中央部が欠如し両端の２箇所に設けてもよく、更に３箇所以上に分割して設けてもよい。同様に、第２挟止部１２ａの内側表面１２ｓ、係止用突起部１５の壁面１７ａ、又は第２連結部１３ｂの表面１３ｇに、係止補助用突出部を設ける場合も、それらの幅方向に対して、全長にわたり係止補助用突出部を設けてもよいし、中央部が欠如し両端の２箇所に設けてもよく、更に３箇所以上に分割して設けてもよい。
【００４７】
係止補助用突出部の形状は特に限定されず、その横断面は図１３に示した半円形状でもよいが、四角形状、又は三角形状などの形状であることが可能である。例えば、第１挟止部１１ａの内側表面１１ｓに係止補助用突出部２１ａを設ける場合は、係止部１７の周囲に横断面が半円形状、四角形状（例えば、正方形状）、又は三角形状の係止補助用突出部を設けてもよいし、係止部１７の周囲から第１連結部１３ａの閉止端部側の表面１３ｆに向かって延びた横断面が長方形状の係止補助用突出部を設けてもよい。同様に、第２挟止部１２ａの内側表面１２ｓ、係止用突起部１５の壁面１７ａ、又は第２連結部１３ｂの表面１３ｇに、係止補助用突出部２１ｂ、２１ｃ、２１ｄを設ける場合も、横断面が半円形状、四角形状、又は三角形状の係止補助用突出部を設けてもよいし、横断面が長方形状の係止補助用突出部を設けてもよい。
【００４８】
また、前記根元止めクリップ１０においては、前記係止補助用突出部に代えて、あるいは前記係止補助用突出部に加えて、係止補助用溝部あるいは係止補助用窪み部を、係止部１７及び／又は第２屈曲連結部１６ｂに設けることができる。前記係止用突起部を第２挟止部１２ａの内側表面１２ｓに設ける場合（例えば、図８、図１０〜図１２参照）には、その前記係止用突起部及び／又は第１屈曲連結部１６ａにも係止補助用溝部あるいは係止補助用窪み部を設けることができる。
【００４９】
前記根元止めクリップにおいて、第１挟板１１の第１押圧部１１ｂは、従来型ターンクリップのように、第１挟板１１に屈曲自在に装着することができる。同様に、第２挟板１２の第２押圧部１２ｂも、第２挟板１２に屈曲自在に装着することができる。更に、第１挟板１１の第１押圧部１１ｂを第１挟板１１に対してスライド可能に装着し、同様に、第２挟板１２の第２押圧部１２ｂを第２挟板１２に対してスライド可能に装着することもできる。このような屈曲可能又はスライド可能な第１押圧部１１ｂ及び／又は第２押圧部１２ｂを有する場合には、離間端部（すなわち、第１挟板１１の第１押圧部１１ｂ側の先端部１１Ｂ又は第２挟板１２の第２押圧部１２ｂ側の先端部１２Ｂ）と回転軸部１３ｃとの距離を変化させることができる。従って、帯状被挟持体２０に取り付ける際や帯状被挟持体２０から取り外す際には、第１押圧部１１ｂ及び／又は第２押圧部１２ｂを長くすることによって少ない押圧力で閉止端部を開くことが可能になり、帯状被挟持体２０に取り付けて固定しておく際には、第１押圧部１１ｂ及び／又は第２押圧部１２ｂを短くすることによって、第１押圧部１１ｂ及び／又は第２押圧部１２ｂに誤って加えられる押圧力の影響を小さくすることができる。
【００５０】
前記根元止めクリップにおいては、第１挟止部１１ａの内側表面１１ｓに設ける係止用突起部１５を、第１挟止部１１ａの長さ方向に対して連続的又は段階的にスライド可能とし、更に任意のスライド位置で固定可能にすることができる。係止用突起部１５をスライド移動させることによって、係止部１７（すなわち、第１挟止部１１ａの内側表面１１ｓと係止用突起部１５の壁面１７ａとの連結部）と、第２屈曲連結部１６ｂ（すなわち、第２連結部１３ｂの閉止端部側の表面１３ｇと、第２挟止部１２ａの内側表面１２ｓとの連結部）との対角線方向距離を任意に変化させることができ、挟持空間１８内部に固定可能な帯状被挟持体２０の幅の長さの範囲を広げることができる。なお、第２挟止部１２ａの内側表面１２ｓに係止用突起部を設ける場合も同様である。
【００５１】
本発明の日除け具において取付用クリップ部として用いることのできる前記根元止めクリップは、従来型ターンクリップのように、第１挟止部１１ａと、第２挟止部１２ａと、それらを連結する連結部１３とを一体的に形成し、連結部１３を付勢手段とすることもできる。この場合、第１押圧部１１ｂ及び第２押圧部１２ｂは、従来型ターンクリップのように、第１挟止部１１ａ及び第２挟止部１２ａの閉止端部側の先端部１１Ａ，１１Ｂ又はその近辺に回転可能に固定されていることが好ましい。
【００５２】
本発明による日除け具は、
（１）アーム部、
（２）前記アーム部の一方の端部に連結する取付用クリップ部、及び
（３）前記アーム部のもう一方の反対側端部に設けた保持部に着脱自在に固定される遮光部を含む。ここで、前記取付用クリップ部として、前記根元止めクリップを用いる。図１及び図２に示す根元止めクリップ１０を利用した本発明による日除け具３０を図１４〜図１７に沿って説明する。
【００５３】
図１４は、本発明による日除け具３０の斜視図であり、図１５は、その正面図であり、図１６は、その側面図であり、そして図１７は、その日除け具３０をベビーカー８０の幌９０の先端部に取り付けた状態を示す斜視図である。
本発明による日除け具３０は、アーム部２と、取付用クリップ部１０と、遮光部４とを含む。アーム部２は、一方の端部２Ａで取付用クリップ部１０と連結し、もう一方の端部２Ｂに保持部３を有する。アーム部２は、任意の方向に湾曲変形可能で、その変形させた湾曲状態で形状維持が可能であることが好ましい。前記保持部３は、遮光部４を着脱自在に固定することができる。
【００５４】
遮光部４は、一定の形状を有するパネル状であることが好ましい。例えば、図１４〜図１７に示すように、形状維持用金属製又はプラスチック製のリング状フレーム４１に、布帛製遮光スクリーン４２を張設した（ピンと張った状態で設けた）ディスク状サンスクリーンであることができる。前記リング状フレーム４１に張設するスクリーン部分は、布帛製又はプラスチック製の織物、ネット、メッシュ、又はフィルムなどからなることができる。リング状フレーム４１にディスク状布帛製遮光スクリーン４２を張設した遮光部４は、ねじって積層状態の小径ディスク状に折り畳むことができる材料から形成することもできる。この場合、折り畳んだ状態の遮光部４をその状態で保持するポケット部を保持部３に設けることもできる。また、遮光部の全体を、形状維持性の剛性ないし可撓性材料（例えば、プラスチックプレート）から形成することもできる。形状維持性の剛性ないし可撓性材料からなる遮光部は、ディスク状に限定されず、例えば、四角形や三角形であることもできる。
【００５５】
遮光部は、それ自体は形状維持性を有していないシート状材料（例えば、布帛シートやプラスチックシート）からなることもできる。また、前記シートも、メッシュ体やネット体であることができる。このようなシート状遮光部によって、ベビーカーに乗っている乳幼児の前方あるいは側部側の一部又は全部を覆うこともできる。
【００５６】
前記保持部３などに、紫外線検知センサを設け、紫外線が強い場合には、乳幼児を遮光部４によって直射日光から確実に保護するように注意を喚起することができる。あるいは、遮光スクリーン４２を紫外線非透過性材料から形成した遮光性スクリーンに交換させることもできる。また、遮光部４の遮光性スクリーン４２に任意の模様を施し、意匠性を高めることもできる。
【００５７】
取付用クリップ部１０としては、前記根元止めクリップを用いる。取付用クリップ部１０は、任意の部位でアーム部２の端部２Ａと連結させることができる。例えば、根元止めクリップ１０の第１挟板１１の外側表面の任意の部位、あるいは第２挟板１２の外側表面の任意の部位で、アーム部２と連結させることができる。本発明の日除け具３０を、図１７に示すように、ベビーカー８０の幌９０の上方先端部に取り付ける場合には、取付用クリップ部１０を閉止端部領域でアーム部２と連結させることが好ましい。これは、アーム部２の湾曲変形度を高くするためにアーム部２の長さを比較的長くしても、幌９０の先端と遮光部４との隙間を狭くして、直射日光を有効に防止することが容易になるからである。図１４〜図１７に示す態様で、取付用クリップ部１０の閉止端部領域で、取付用クリップ部１０とアーム部２とを連結させているのはこのためである。
【００５８】
あるいは、取付用クリップ部１０をその離間端部領域でアーム部２と連結させることもできる。特に、前記第１挟板１１の第１押圧部１１ｂの先端部１１Ｂに、前記第１挟板１１の長さ方向に外側に延長させてアーム部２を連結させた態様の本発明の日除け具３０を図１８〜図２１に示す。図１８は、この態様の日除け具３０の斜視図であり、図１９は、その正面図であり、図２０は、その側面図であり、そして図２１は、その日除け具３０をベビーカー８０の幌９０の先端部に取り付けた状態を示す斜視図である。この態様では、アーム部２の長さを短くすることができるので、製造コストを抑制することができる。
【００５９】
図２９及び図３０は、本発明による日除け具の根元止めクリップ１０及びアーム部２の実施態様の１つの斜視図であり、閉止端部が開いた状態を示している。この実施態様の根元止めクリップ１０は、アーム部２が根元止めクリップ１０の中央部に連結している。また、第１挟止部１１ａの内側表面１１ｓに係止補助用突出部２１ａ、及び第２挟止部１２ａの内側表面１２ｓに係止補助用突出部２１ｂを有するものである。第１挟止部１１ａの内側表面１１ｓの係止補助用突出部２１ａは、係止部１７の周囲から第１連結部１３ａの閉止端部側の表面１３ｆに向かって延びており、横断面が長方形状を示す係止補助用突出部である。この係止補助用突出部２１ａは、破線で示した中央部分の四角柱部分が存在していてもよいし、この部分が欠失して、両端の２箇所に、係止補助用突出部２１ａ−１及び係止補助用突出部２１ａ−２が分離していてもよい。また、第２挟止部１２ａの内側表面１２ｓの係止補助用突出部２１ｂは、横断面が三角形状の係止補助用突出部である。破線で示した中央部分の三角柱部分が存在していてもよいし、この部分が欠失して、両端の２箇所に係止補助用突出部２１ｂ−１及び係止補助用突出部２１ｂ−２が分離していてもよい。
【００６０】
本発明による日除け具３０は、図１７及び図２１に示すとおり、例えば、ベビーカー８０の幌９０の中央先端部に取り付けることができる。ベビーカー８０の幌９０の周縁部には、図２２（一部切り欠き部分斜視図）に示すとおり、布帛９１の内側に金属製又は可撓性プラスチック製のフレーム９２が設けられている。このフレーム９２は、扁平で長尺幅狭の帯状体である。本発明による日除け具３０が備える取付用クリップ部１０は、布帛９２の上から、前記フレーム９２を挟持固定することができる。すなわち、フレーム９２の前方端縁部９２Ａを第２屈曲連結部１６ｂに押し当てて係止し、フレーム９２の後方端縁部９２Ｂを係止部１７に係止させて固定することができる。
【００６１】
本発明による日除け具は、２つを一組にして、１つのベビーカーに取付けることができる。例えば、図３７及び図３８に示すように、ベビーカー８０の幌９０の周縁部のフレーム９２に、第１の日除け具３１ａ及び第２の日除け具３１ｂを根元止めクリップ１０によって固定する。そして、リング状フレーム４１の部分又は遮光スクリーン４２の部分で、第１の日除け具３１ａ及び第２の日除け具３１ｂを連結させることが好ましい。リング状フレーム４１の部分又は遮光スクリーン４２の部分で２つの日除け具を連結させる方法としては、ボタンで連結させる方法や、紐で結びつける方法があるが、面ファスナーを用いることが好ましい。面ファスナーはリング状フレーム４１及び／又は遮光スクリーン４２に取付けることができ、面ファスナーの取付箇所の数も特に限定されないが、第１の日除け具３１ａ及び第２の日除け具３１ｂのそれぞれのリング状フレーム４１の１箇所〜数箇所に取付けることができる。
【００６２】
図３１は、第１の日除け具３０ａ及び第２の日除け具３０ｂに連結用面ファスナー４５をそれぞれ３箇所ずつ設けた態様を、裏側から見た模式的斜視図である。なお、日除け具の説明において、「表側」又は「裏側」は、ベビーカーに取付けた場合に、外側に露出し、外側から観察可能な面を表側とし、内側に向き外側に露出せず、外側から観察可能ではない面を裏側と称することとし、ベビーカーに取付けた場合以外の場合の表裏の方向を限定するものではない。
【００６３】
図３１に示すとおり、第１の日除け具３０ａは、リング状フレーム４１Ａに、その円周に沿って若干の距離を隔てて、第１連結用面ファスナー４５ａ、第２連結用面ファスナー４５ｂ、及び第３連結用面ファスナー４５ｃを有し、第２の日除け具３０ｂは、同様に、リング状フレーム４１Ｂに、その円周に沿って若干の距離を隔てて、第１連結用面ファスナー４５ｄ、第２連結用面ファスナー４５ｅ、及び第３連結用面ファスナー４５ｆを有している。各連結用面ファスナー４５は、それぞれ、巻付・面ファスナー部４３及び帯状・面ファスナー部４４からなり、例えば、第１の日除け具３０ａの第１連結用面ファスナー４５ａは、巻付・面ファスナー部４３ａ及び帯状・面ファスナー部４４ａからなる。同様に、第１の日除け具３０ａの第２連結用面ファスナー４５ｂ、及び第３連結用面ファスナー４５ｃ、並びに第２の日除け具３０ｂの第１連結用面ファスナー４５ｄ、第２連結用面ファスナー４５ｅ、及び第３連結用面ファスナー４５ｆも、それぞれの巻付・面ファスナー部４３ｂ，４３ｃ，４３ｄ，４３ｅ，４３ｆ及び帯状・面ファスナー部４４ｂ，４４ｃ，４４ｄ，４４ｅ，４４ｆからなる。
【００６４】
面ファスナーは、一般に、一対の接合面がループ側部材とフック側部材との組合せからなるか、あるいは一対のループ・フック混合型部材からなり、それらの接合面を相互に面接触させることによって結合させることができる。図３１に示す連結用面ファスナー４５を構成する巻付・面ファスナー部４３と帯状・面ファスナー部４４とは、一方がループ側部材を有し、他方がフック側部材を有する組合せであるか、あるいは一対のループ・フック混合型部材からなり、相互に結合可能である。本発明においては、連結用面ファスナーがループ側部材とフック側部材との組合せからなるのが好ましい。なお、図３１では、巻付・面ファスナー部４３と帯状・面ファスナー部４４とが相互に結合していない状態の連結用面ファスナー４５を示している。
【００６５】
一対の連結用面ファスナー４５，４５を相互に連結させる方法を、第１の日除け具３０ａの第１連結用面ファスナー４５ａ及び第２の日除け具３０ｂの第１連結用面ファスナー４５ｄを例として、図３２〜図３４（各々模式的部分断面図）に沿って説明する。
図３２は、図３１と同様に、第１連結用面ファスナー４５ａ及び第１連結用面ファスナー４５ｄにおいて、巻付・面ファスナー部４３ａ，４３ｄと帯状・面ファスナー部４４ａ，４４ｄとが相互に結合していない状態を示している。図３２に示すとおり、巻付・面ファスナー部４３ａ，４３ｄは、それぞれ、第１連結用面ファスナー４５ａ及び第１連結用面ファスナー４５ｄのリング状フレーム４１Ａ，４１Ｂの表側表面及び裏側表面並びに側縁部を完全に包囲するように、巻きついて設ける。この際、巻付・面ファスナー部４３ａ，４３ｄの露出面４３ａ−Ｓ，４３ｄ−Ｓを、面ファスナーの接合面（すなわち、ループ側部材面、フック側部材面、又はループ・フック混合型部材面）とする。
【００６６】
この巻付・面ファスナー部４３ａは、それをリング状フレーム４１Ａに巻き付ける方向の両末端４３ａ−１，４３ａ−２において、それぞれリング状フレーム４１Ａの内側に設けた遮光スクリーン４２Ａの表側表面４２ａ及び裏側表面４２ｂと接触する部位において、例えば、縫製して固定することができる。同様に、巻付・面ファスナー部４３ｄは、その巻付方向の両末端４３ｄ−１，４３ｄ−２がリング状フレーム４１Ｂの内側に設けた遮光スクリーン４２Ｂの表側表面４２ａ及び裏側表面４２ｂと接触する部位において、例えば、縫製して固定することができる。
【００６７】
また、第１連結用面ファスナー４５ａの帯状・面ファスナー部４４ａは、一方の端部において、前記巻付・面ファスナー部４３ａの一方の固定末端４３ａ−１に隣接ないし近接して遮光スクリーン４２Ａの裏側表面４２ｂに、例えば、縫製により固定されており、その固定端部から、遮光スクリーン４２Ａの中心部の方向に延びており、その先端のもう一方の端部は自由端部である。同様に、第２連結用面ファスナー４５ｄの帯状・面ファスナー部４４ｄは、一方の端部において、前記巻付・面ファスナー部４３ｄの固定末端４３ｄ−１に隣接ないし近接して遮光スクリーン４２Ｂの裏側表面４２ｂに、例えば、縫製により固定されており、その固定端部から、遮光スクリーン４２Ｂの中心部の方向に延びており、もう一方の端部は自由端部である。
【００６８】
更に、第１連結用面ファスナー４５ａの帯状・面ファスナー部４４ａは、固定端部を軸に矢印Ｐの方向に回転させることができ、図３６に示すように、巻付・面ファスナー部４３ａの露出面と面接触させることにより、巻付・面ファスナー部４３ａの露出面の全体を完全に覆い尽くすことができる。従って、帯状・面ファスナー部４４ａが、巻付・面ファスナー部４３ａの露出面と接触する面４４ａ−Ｓには、巻付・面ファスナー部４３ａの露出面と接合可能なループ側部材面、フック側部材面、又はループ・フック混合型部材面とする。なお、接合面とは反対側の面４４ａ−ｂは平滑面である。同様に、第１連結用面ファスナー４５ｄの帯状・面ファスナー部４４ｄは、固定端部を軸に矢印Ｑの方向に回転させることができ、図３６に示すように、巻付・面ファスナー部４３ｄの露出面と面接触させることにより、巻付・面ファスナー部４３ｄの露出面の全体を完全に覆い尽くすことができる。従って、帯状・面ファスナー部４４ｄが、巻付・面ファスナー部４３ｄの露出面と接触する面４４ｄ−Ｓには、巻付・面ファスナー部４３ｄの露出面と接合可能なループ側部材面、フック側部材面、又はループ・フック混合型部材面とする。なお、接合面とは反対側の面４４ｄ−ｂは平滑面である。
【００６９】
図３２に示す状態の第１の日除け具３０ａの第１連結用面ファスナー４５ａと第２の日除け具３０ｂの第１連結用面ファスナー４５ｄとを連結させる場合には、図３３に示すように、第１の日除け具３０ａの第１連結用面ファスナー４５ａの巻付・面ファスナー部４３ａの露出面と、第２の日除け具３０ｂの第１連結用面ファスナー４５ｄの巻付・面ファスナー部４３ｄの露出面とを相互に面接触させることによって連結させる。続いて、図３４に示すように、第１の日除け具３０ａの第１連結用面ファスナー４５ａの帯状・面ファスナー部４４ａの接合面４４ａ−Ｓと、第２の日除け具３０ｂの第１連結用面ファスナー４５ｄの帯状・面ファスナー部４４ｄの接合面４４ｄ−Ｓとを相互に面接触させることによって連結させる。
【００７０】
また、第１の日除け具３０ａの第１連結用面ファスナー４５ａと第２の日除け具３０ｂの第１連結用面ファスナー４５ｄとを連結させる場合の別の態様として、図３５に示すように、第１連結用面ファスナー４５ａの巻付・面ファスナー部４３ａの露出面の裏側と、第２の日除け具３０ｂの第１連結用面ファスナー４５ｄの巻付・面ファスナー部４３ｄの露出面の裏側とを相互に面接触させることによって連結させ、第１の日除け具３０ａの第１連結用面ファスナー４５ａの帯状・面ファスナー部４４ａの接合面４４ａ−Ｓと、第２の日除け具３０ｂの第１連結用面ファスナー４５ｄの帯状・面ファスナー部４４ｄの接合面４４ｄ−Ｓとを相互に面接触させることによって連結させることも可能である。
【００７１】
ここで、第１の日除け具３０ａの第１連結用面ファスナー４５ａの巻付・面ファスナー部４３ａの露出面が、ループ側部材面である場合は、第１の日除け具３０ａの第１連結用面ファスナー４５ａの帯状・面ファスナー部４４ａの接合面にはフック側部材を設け、第２の日除け具３０ｂの第１連結用面ファスナー４５ｄの巻付・面ファスナー部４３ｄの露出面にも、フック側部材を設ける。この場合、第２の日除け具３０ｂの第１連結用面ファスナー４５ｄの帯状・面ファスナー部４４ｄの接合面４４ｄ−Ｓは、ループ側部材面となるので、第１の日除け具３０ａの第１連結用面ファスナー４５ａの帯状・面ファスナー部４４ａの接合面と良好に結合させることができる。
【００７２】
第１の日除け具３０ａの第１連結用面ファスナー４５ａの巻付・面ファスナー部４３ａの露出面が、フック側部材面である場合は、第１の日除け具３０ａの第１連結用面ファスナー４５ａの帯状・面ファスナー部４４ａの接合面と、第２の日除け具３０ｂの第１連結用面ファスナー４５ｄの巻付・面ファスナー部４３ｄの露出面とにループ側部材を設け、第２の日除け具３０ｂの第１連結用面ファスナー４５ｄの帯状・面ファスナー部４４ｄの接合面４４ｄ−Ｓは、フック側部材面となるので、第１の日除け具３０ａの第１連結用面ファスナー４５ｄの帯状・面ファスナー部４４ｄの接合面と良好に結合させることができる。なお、全ての接合面にループ・フック混合型部材を設けることもできる。
【００７３】
第１の日除け具３０ａ及び第２の日除け具３０ｂは、図３７に示すように、それらが備える第１〜第３連結用面ファスナー４５の３つの連結用面ファスナーを、図３５に示すような態様で、相互に連結することによって、編み笠状の日除けの形状を形成することが可能である。すなわち、第１の日除け具３０ａの第１連結用面ファスナー４５ａ及び第２の日除け具３０ｂの第１連結用面ファスナー４５ｄ、第１の日除け具３０ａの第２連結用面ファスナー４５ｂ及び第２の日除け具３０ｂの第２連結用面ファスナー４５ｅ、並びに第１の日除け具３０ａの第３連結用面ファスナー４５ｃ及び第２の日除け具３０ｂの第３連結用面ファスナー４５ｆの３箇所の連結用面ファスナーを用いて連結させることによって、編み笠状の日除けの形状を形成することが可能である。
【００７４】
また、図３８に示すように、第１連結用面ファスナー４５及び第３連結用面ファスナー４５の２つの連結用面ファスナーを、図３４に示すような態様で、相互に連結することによって、ひょうたん型の日除けの形状を形成することが可能である。すなわち、第１の日除け具３０ａの第１連結用面ファスナー４５ａ及び第２の日除け具３０ｂの第１連結用面ファスナー４５ｄ、並びに第１の日除け具３０ａの第３連結用面ファスナー４５ｃ及び第２の日除け具３０ｂの第３連結用面ファスナー４５ｆの２箇所の連結用面ファスナーを用いて連結させることによって、ひょうたん型の日除けの形状を形成することが可能である。
【００７５】
こうしてフレームに固定された本発明の日除け具は、付勢手段（例えばトーションバネ）が強い付勢力を有しない場合でも、簡単に外れることはない。一方、本発明の日除け具において、取付用クリップ部として前記根元止めクリップに代えて、従来の先端止めクリップを用いた場合に、ベビーカーの走行中の振動などで外れないようにするには、極端に強い付勢力を有する付勢手段（例えばトーションバネ）を使用する必要がある。この場合に必要となる付勢力は、日除け具を幌に取り付ける際や幌から取り外す際に、一般の女性が両手の指を使用しても対抗することができない程度の付勢力であり、実用的な日除け具を提供することは極めて困難である。
【００７６】
これに対して、取付用クリップ部として前記根元止めクリップを用いる本発明の日除け具は、一般の女性が片手の指だけで充分な程度の低い押圧力で容易に取り付け及び取り外しが可能な付勢力の付勢手段を使用するだけで、ベビーカーの走行中の振動などで簡単に外れることはない。また、幌に取り付けた状態で、アーム部の湾曲変形を行う程度の力が加わった程度でも、簡単に外れることはない。更に、幌に取り付けた状態で、前記根元止めクリップの離間端部に手などが誤って触れたりする程度でも、外れることがない。これは、従来の先端止めクリップでは、挟持作用点である閉止端部から、支点である回転軸部までの距離が比較的長いのに対し、本発明の根元止めクリップでは、挟持作用点である係止部や屈曲連結部から、支点である回転軸部までの距離が極端に短くなるためであると考えられる。
【００７７】
本発明の根元止めクリップは、それを前記帯状被挟持体に取り付けた状態で、離間端部の離間距離を縮め、閉止端部を拡げる方向の力が加わった場合でも、その力に対抗可能なストッパー手段を備えていることができる。このストッパー手段は、例えば、離間端部側の第１押圧部と第２押圧部との内側に挿入脱離自在（例えば、直立横臥自在）で、長さ方向の外側に付勢する弾性部材と適当な掛止部とからなることができる。この弾性部材と掛止部とをストッパー手段として使用する場合は、非挟持状態では第１押圧部と第２押圧部との間から脱離（例えば、横臥）させておき、挟持状態では第１押圧部と第２押圧部との間に挿入（例えば、直立）させることによって、目的の効果を得ることができる。
【００７８】
本発明による日除け具をベビーカーの幌に取り付ける場合には、前記根元止めクリップの閉止端部に、第１挟板１１の内側表面と第２挟板１２の内側表面との両方に、スペーサー型係止用突起部１５を備えている根元止めクリップ１０を用いるのが好ましく、特に図８に示す係止用突起部１５Ｂ，１５Ｃ，１５Ｄを備えている根元止めクリップ１０を用いるのが好ましい。なお、スペーサー型係止用突起部とは、例えば図７〜図１２に示すタイプの係止用突起部であり、非挟持状態の閉止端部において第１挟板及び第２挟板の内側空間を完全に埋める係止用突起部である。例えば、図２３（図８のＴ−Ｔ線模式的断面図）に示すように、図８に示す係止用突起部１５Ｂ，１５Ｃ，１５Ｄを備えている根元止めクリップ１０を有する日除け具を、図２２に示すベビーカーの幌に取り付けると、幌のフレーム９２が強く固定されるのに加えて、幌の布帛９１も係止用突起部１５Ｂ，１５Ｃ，１５Ｄの表面と、第１挟板１１の内側表面１１ｓと、第２挟板１２の内側表面１２ｓとによって固定することができる。
【００７９】
本発明による日除け具は、ベビーカーの幌の端縁部だけでなく、任意の扁平で幅狭の帯状体に取り付けることができる。例えば、自動車室内のグリップ部に取り付けることもできる。自動車室内のグリップ部としては、例えば、ドア開閉用アシストグリップ（ドアの開閉の際に用いるグリップ）や自動車室内のドアの上方壁面に設けた揺れ防止用グリップを挙げることができる。
【００８０】
本発明による日除け具は、連結具を介して間接的に任意の対象物に取り付けることができる。図２４は、本発明で利用することのできる連結具６０の１実施態様を示す斜視図である。連結具６０は、基台６１と、その基台６１の１表面上に設けられた取付部６２と、前記基台６１に設けられた帯状受容部６３とを含む。取付部６２は、任意の対象物に取り付けることができる手段、例えば、ベルト６２ａ及び固定具６２ｂである。例えば、図１７に示すベビーカー８０について例を示せば、円筒状ハンドルパイプ８１、手摺部８２、又は前方バー８３などの任意の対象物に取り付けることができる手段である。前記取付部としては、例えば、面ファスナーなどを基台６１の裏面に設けることもできる。
【００８１】
帯状受容部６３は、扁平帯状部６４と、基台連結部６５を含む。扁平帯状部６４は、前記根元止めクリップを取り付けることができる構造を有している。従って、本発明による日除け具を、この連結具６０を介して間接的に任意の対象物に取り付けることができる。
【００８２】
なお、前記の連結具を介する間接的な取り付けが困難な場合には、取り付け対象物に予め帯状受容部を設置しておくことにより、直接に、その取り付け対象物に本発明による日除け具を取り付けることができる。
【００８３】
前記根元止めクリップは、
（１）アーム部、
（２）前記アーム部の一方の端部に連結する取付用クリップ部、及び
（３）前記アーム部のもう一方の反対側端部に設けた保持部
を含む、保持具における取付用クリップ部に使用することができる。この保持具の前記アーム部の端部に設ける保持部には、任意の被保持体、例えば、紙片（例えば、メモ用紙やチケット）、シート材料、又は布帛などを着脱自在に保持させることができる。この保持具も、本発明による前記日除け具と同様に、扁平で幅狭の帯状体に直接に取り付けることができ、あるいは、図２４に示すような連結具を介して、任意の対象物に間接的に取り付けることができる。更に、予め帯状受容部を設置しておいた任意の対象物に直接に取り付けることができる。前記保持具を、例えばベビーカーに取り付ける場合には、前記保持部に、ハンカチやタオル類；おもちゃ；雨よけシートや傘；うちわや小型扇風機；ハンガー、トレー、ピンチ、若しくはホルダー（例えば、ボトルホルダー）；ミラー、反射盤、若しくはライト；あるいはＰＯＰ（point-of-purchase）広告具などを着脱自在に固定させることもできる。
【産業上の利用可能性】
【００８４】
本発明の日除け具は、扁平幅狭帯状体、例えば、ベビーカーの幌の周縁部や、自動車車内のグリップ部に強く取り付けることができ、しかも、着脱操作に大きな押圧力を必要とせず、着脱操作それ自体も極めて簡単である。
また、連結具を介して、間接的に任意の対象物に取り付けることができる。
【図面の簡単な説明】
【００８５】
【図１】本発明で用いる根元止めクリップの模式的側面図である。
【図２】図１の根元止めクリップの模式的斜視図である。
【図３】図１の根元止めクリップ閉止端部を開いた状態を示す模式的側面図である。
【図４】図１の根元止めクリップの挟持空間内部に扁平幅狭帯状体を挿入させた状態を示す模式的側面図である。
【図５】図１の根元止めクリップの離間端部の押圧力を弱めた状態を示す模式的側面図である。
【図６】図１の根元止めクリップによって扁平幅狭帯状体を係止挟持した状態を示す模式的側面図である。
【図７】第１挟板の内側表面上に１つの三角柱型係止用突起部を設け、第２挟板の内側表面には係止用突起部を設けない態様の係止用突起部を示す模式的部分斜視図である。
【図８】第１挟板の内側表面上に２つの両端三角柱型突起部を設け、第２挟板の内側表面に中央部三角柱型突起部を設置した態様の係止用突起部を示す模式的部分斜視図である。
【図９】図７（ａ）に示す三角柱型係止用突起部の先端部を除いた形状に相当する四角柱型係止用突起部を第１挟板の内側表面に設け、第２挟板の内側表面には係止用突起部を設けない態様の係止用突起部を示す模式的部分斜視図である。
【図１０】図８（ａ）に示す２つの両端三角柱型突起部の先端部を除いた形状に相当する２つの四角柱型係止用突起部を第１挟板の内側表面に設け、第２挟板の内側表面には図８（ｂ）に示す中央部三角柱型突起部を設置した態様の係止用突起部を示す模式的部分斜視図である。
【図１１】図７（ａ）に示す三角柱型係止用突起部を高さ方向に２分割した形状に相当する三角柱型係止用突起部を、第１挟板の内側表面及び第２挟板の内側表面にそれぞれ設けた態様の係止用突起部を示す模式的部分斜視図である。
【図１２】図８（ａ）に示す両側三角柱型係止用突起部から先端部とは反対側端部を切除した形状に相当する三角柱型係止用突起部を第１挟板の内側表面に設け、第２挟板の内側表面には図８（ｂ）に示す中央部三角柱型突起部を設置した態様の係止用突起部を示す模式的部分斜視図である。
【図１３】係止補助用突出部を有する根元止めクリップの模式的側面図である。
【図１４】本発明による日除け具の斜視図である。
【図１５】図１４の日除け具の正面図である。
【図１６】図１４の日除け具の側面図である。
【図１７】図１４の日除け具をベビーカーの幌に取り付けた状態を示す斜視図である。
【図１８】本発明による別の態様の日除け具の斜視図である。
【図１９】図１８の日除け具の正面図である。
【図２０】図１８の日除け具の側面図である。
【図２１】図１８の日除け具をベビーカーの幌に取り付けた状態を示す斜視図である。
【図２２】ベビーカーの幌の先端部の一部を切り欠いて示す部分斜視図である。
【図２３】図８に示す係止用突起部によって幌の布帛が固定される状態を、図８のＴ−Ｔ線断面に沿って、模式的に示す説明図である。
【図２４】本発明で利用することのできる連結具の斜視図である。
【図２５】従来のクリップの非挟持状態の模式的側面図である。
【図２６】図２５のクリップを平板状被挟持体の端部に取り付けた状態を示す模式的側面図である。
【図２７】従来のターンクリップの非挟持状態の模式的側面図である。
【図２８】図２７のターンクリップによって書類を挟持した状態を示す模式的側面図である。
【図２９】閉止端部が開いた状態の係止補助用突出部を有する根元止めクリップ、及びアーム部の模式的斜視図である。
【図３０】閉止端部が開いた状態の係止補助用突出部を有する根元止めクリップ、及びアーム部の模式的斜視図である。
【図３１】連結用面ファスナーを有する２つの日除け具の部分裏面図である。
【図３２】連結用面ファスナーの日除け具のリング状フレームへの取付を示す断面図である。
【図３３】連結用面ファスナーの連結方法を示す断面図である。
【図３４】連結用面ファスナーの連結方法を示す断面図である。
【図３５】連結用面ファスナーの連結方法の一態様を示す断面図である。
【図３６】連結用面ファスナーを連結に使用していない場合の収納状態を示す断面図である。
【図３７】図３１の日除け具２つを３箇所で連結してベビーカーの幌に取り付けた状態を示す斜視図である。
【図３８】図３１の日除け具２つを２箇所で連結してベビーカーの幌に取り付けた状態を示す斜視図である。
【符号の説明】
【００８６】
２・・・アーム部；２Ａ，２Ｂ・・・アーム部の端部；３・・・保持部；
４・・・遮光部；１０・・・取付用クリップ部（根元止めクリップ）；
１１・・・第１挟板；１１ａ・・・第１挟止部；１１ｂ・・・第１押圧部；
１１ｓ・・・第１挟止部の内側表面；
１１Ａ・・・第１挟板の閉止端部側の先端部；
１１Ｂ・・・第１挟板の離間端部側の先端部；
１２・・・第２挟板；１２ａ・・・第２挟止部；１２ｂ・・・第２押圧部；
１２ｓ・・・第２挟止部の内側表面；
１２Ａ・・・第２挟板の閉止端部側の先端部；
１２Ｂ・・・第２挟板の離間端部側の先端部；
１３・・・連結部；１３ａ・・・第１連結部；１３ｂ・・・第２連結部；
１３ｃ・・・回転軸部；１３ｆ・・・第１連結部の閉止端部側の表面；
１３ｇ・・・第２連結部の閉止端部側の表面；１４・・・付勢手段；
１５・・・係止用突起部；１５Ａ〜１５Ｌ・・・係止用突起部；
１６ａ・・・第１屈曲連結部；１６ｂ・・・第２屈曲連結部；
１７・・・係止部；１７ａ・・・係止用突起部の壁面；
１８・・・挟持空間；２０・・・帯状被挟持体；
２０Ａ，２０Ｂ・・・扁平幅狭帯状体の端縁部；
２１ａ〜２１ｄ・・・係止補助用突出部；
２１ａ−１，２１ａ−２，２１ｂ−１，２１ｂ−２・・・係止補助用突出部；
２５Ａ〜２５Ｌ・・・係止用突起部の表面；
３０，３０ａ，３０ｂ・・・日除け具；４１，４１Ａ，４１Ｂ・・・リング状フレーム；
４２，４２Ａ，４２Ｂ・・・遮光スクリーン；
４２ａ・・・遮光スクリーン表側表面；４２ｂ・・・遮光スクリーン裏側表面；
４３ａ，４３ｂ，４３ｃ，４３ｄ，４３ｅ，４３ｄ・・・巻付・面ファスナー部；
４４ａ，４４ｂ，４４ｃ，４４ｄ，４４ｅ，４４ｄ・・・帯状・面ファスナー部；
４５ａ，４５ｂ，４５ｃ，４５ｄ，４５ｅ，４５ｄ・・・連結用面ファスナー；
４３ａ−ｓ，４３ｄ−ｓ・・・巻付・面ファスナー露出面；
４３ａ−１，４３ｄ−１・・・固定末端；
４３ａ−２，４３ｄ−２・・・固定末端；
４４ａ−Ｓ，４４ｄ−Ｓ・・・帯状・面ファスナー接合面；
４４ａ−ｂ，４４ｄ−ｂ・・・帯状・面ファスナー平滑面；
５０・・・従来のクリップ；
５０Ａ・・・平板状被挟持体；５１・・・第１挟板；５１ａ・・・第１挟止部；
５１ｂ・・・第１押圧部；５１Ａ・・・第１挟板の閉止端部側の先端部；
５１Ｂ・・・第１挟板の離間端部側の先端部；５２・・・第２挟板；
５２ａ・・・第２挟止部；５２ｂ・・・第２押圧部；
５２Ａ・・・第２挟板の閉止端部側の先端部；
５２Ｂ・・・第２挟板の離間端部側の先端部；５３・・・連結部；
５３ａ・・・第１連結部；５３ｂ・・・第２連結部；５３ｃ・・・回転軸部；
５４・・・付勢手段；５５ａ，５５ｂ・・・挟持用補助突起部；
６０・・・連結具；６１・・・基台；６２・・・取付部；６２ａ・・・ベルト；
６２ｂ・・・固定具；６３・・・帯状受容部；６４・・・扁平帯状部；
６５・・・基台連結部；７０・・・従来のターンクリップ；７０Ａ・・・書類；
７１ａ・・・第１挟止部；７１ｂ・・・第１押圧部；
７１Ａ・・・第１挟止部の閉止端部側の先端部；
７１Ｂ・・・第１押圧部の離間端部側の先端部；７２ａ・・・第２挟止部；
７２ｂ・・・第２押圧部；７２Ａ・・・第２挟止部の閉止端部側の先端部；
７２Ｂ・・・第２押圧部の離間端部側の先端部；７３・・・連結用部；
７３ｃ・・・回転部；７４・・・付勢手段；７６・・・挟持用部片；
８０・・・ベビーカー；８１・・・円筒状ハンドルパイプ；
８２・・・手摺部；８３・・・前方バー；９０・・・幌；９１・・・布帛；
９２・・・フレーム；９２Ａ・・・フレームの前方端縁部；
９２Ｂ・・・フレームの後方端縁部。
【図１】
0004753775.tif 000002
【図２】
0004753775.tif 000003
【図３】
0004753775.tif 000004
【図４】
0004753775.tif 000005
【図５】
0004753775.tif 000006
【図６】
0004753775.tif 000007
【図７】
0004753775.tif 000008
【図８】
0004753775.tif 000009
【図９】
0004753775.tif 000010
【図１０】
0004753775.tif 000011
【図１１】
0004753775.tif 000012
【図１２】
0004753775.tif 000013
【図１３】
0004753775.tif 000014
【図１４】
0004753775.tif 000015
【図１５】
0004753775.tif 000016
【図１６】
0004753775.tif 000017
【図１７】
0004753775.tif 000018
【図１８】
0004753775.tif 000019
【図１９】
0004753775.tif 000020
【図２０】
0004753775.tif 000021
【図２１】
0004753775.tif 000022
【図２２】
0004753775.tif 000023
【図２３】
0004753775.tif 000024
【図２４】
0004753775.tif 000025
【図２５】
0004753775.tif 000026
【図２６】
0004753775.tif 000027
【図２７】
0004753775.tif 000028
【図２８】
0004753775.tif 000029
【図２９】
0004753775.tif 000030
【図３０】
0004753775.tif 000031
【図３１】
0004753775.tif 000032
【図３２】
0004753775.tif 000033
【図３３】
0004753775.tif 000034
【図３４】
0004753775.tif 000035
【図３５】
0004753775.tif 000036
【図３６】
0004753775.tif 000037
【図３７】
0004753775.tif 000038
【図３８】
0004753775.tif 000039